(57)【要約】      （修正有）【課題】  サーバから取得して保存したＲＳＳフィードの情報を、ＲＳＳリーダ以外のアプリケーションの実行中においても画面に表示することができる移動体通信端末を提供する。【解決手段】  移動体通信端末は、通信ネットワーク上のサーバから提供されるＷＥＢコンテンツ要約情報であるＲＳＳフィードを予め設定された定期的なタイミングで取得し、複数のアプリケーションで利用可能な記録領域に保存する。ＲＳＳリーダ以外の待ち受けアプリケーションが実行されているとき、その待ち受けアプリケーションで画像が表示されている画面の少なくとも一部に、上記記録領域に記憶されているＲＳＳフィードを読み出して表示する。待ち受けアプリケーションのＲＳＳフィードの表示モードとしては、１行表示モードと分割表示モードとを有する。【選択図】  図１５
2007299272.tif 000002
【特許請求の範囲】
【請求項１】
表示手段の画面への画像表示を伴う複数のアプリケーションプログラムを実行可能な移動体通信端末であって、
通信ネットワーク上のサーバから提供される提供情報を予め設定されたタイミングで取得する取得手段と、
上記複数のアプリケーションプログラムで利用可能な記録領域に上記取得手段で取得した提供情報を記憶する記憶手段と、
上記複数のアプリケーションプログラムのうち上記提供情報の表示に専ら利用される提供情報表示専用のアプリケーションプログラム以外の他のアプリケーションプログラムが実行されているとき、該他のアプリケーションプログラムで画像が表示されている画面の少なくとも一部に、上記記憶手段に記憶されている上記提供情報を読み出して表示するように制御する表示制御手段と、を備えたことを特徴とする移動体通信端末。
【請求項２】
請求項１に記載の移動体通信端末において、
上記提供情報は、通信ネットワーク上のサーバから提供されるＷＥＢコンテンツの要約情報であることを特徴とする移動体通信端末。
【請求項３】
請求項２に記載の移動体通信端末において、
上記要約情報は、予め設定した所定タイミングで定期的に上記サーバに接続して更新確認されることを特徴とする移動体通信端末。
【請求項４】
請求項１に記載の移動体通信端末において、
上記提供情報は、他の通信端末から送信されてきたメッセージの送信元情報及び該メッセージの冒頭部分の少なくとも一方を含む着信通知情報であることを特徴とする移動体通信端末。
【請求項５】
請求項１乃至４のいずれかに記載の移動体通信端末において、
上記他のアプリケーションプログラムは、上記表示手段に待ち受け画面を表示するアプリケーションプログラムであることを特徴とする移動体通信端末。
【請求項６】
請求項１乃至５のいずれかに記載の移動体通信端末において、
上記他のアプリケーションプログラムは、通常の文字列表示とは異なる態様で上記提供情報を出力することを特徴とする移動体通信端末
【請求項７】
請求項１乃至５のいずれかに記載の移動体通信端末において、
上記表示制御手段は、上記他のアプリケーションプログラムの実行中の画面に画像を表示する表示モードとして、上記提供情報の表示態様が互いに異なる複数の表示モードを有し、これらの表示モードを表示モード選択指令に基づいて切り替えることを特徴とする移動体通信端末。
【請求項８】
請求項７に記載の移動体通信端末において、
複数のキーからなる操作部を備え、
上記表示モード選択指令は、上記操作部の予め設定された所定キーの押下によって生成されることを特徴とする移動体通信端末。
【請求項９】
請求項７又は８に記載の移動体通信端末において、
上記複数の表示モードは、上記画面に設定したテキスト１行文の画面表示部分に上記提供情報を連続的に表示する１行表示モードと、上記画面の複数の画面分割領域に互いに異なる複数の提供情報を振り分けて表示する分割表示モードとを含むことを特徴とする移動体通信端末。
【請求項１０】
請求項１乃至９のいずれかの移動体通信端末において、
上記表示制御手段は、上記他のアプリケーションプログラムが実行されているときの画面の少なくとも一部に上記提供情報を表示し、その提供情報表示部分が選択されたとき上記提供情報表示専用のアプリケーションプログラムの画面に遷移させることを特徴とする移動体通信端末。
【請求項１１】
請求項１０に記載の移動体通信端末において、
上記遷移先の画面は、上記提供情報表示部分に表示されていた提供情報の項目名を含む複数の提供情報の項目名一覧画面であり、その項目名一覧画面に表示されている複数の項目名はそれぞれ対応する提供情報の詳細内容表示画面にリンクしていることを特徴とする移動体通信端末。
【請求項１２】
請求項１０に記載の移動体通信端末において、
上記遷移先の画面は、上記提供情報表示部分に表示されていた提供情報の詳細内容表示画面であることを特徴とする移動体通信端末。
【発明の詳細な説明】
【技術分野】
【０００１】
本発明は、表示手段の画面への画像表示を伴う複数のアプリケーションプログラムを実行可能な携帯電話機等の移動体通信端末に関するものである。
【背景技術】
【０００２】
従来、この種の携帯電話機（移動体通信端末）で実行可能なアプリケーションプログラム（以下、適宜「アプリケーション」と略す。）として、電話やメールの着信通知を待っている待ち受け画面を表示するアプリケーションや、通信ネットワーク上のサーバから提供される情報を受信して保存しその提供情報を適宜読み出して表示するアプリケーションが知られている。前者のアプリケーションが実行され待ち受け画面が表示されているときに電話やメール着信通知を受信すると、その待ち受け画面上に電話着信中を示す画像が表示されたりメール着信を知らせる画像が表示されたりする。また、後者のアプリケーションとしては、インターネット（通信ネットワーク）上のサーバから提供されるＷＥＢコンテンツの要約情報（提供情報）を表示する提供表示専用のアプリケーションがある（例えば、非特許文献１参照）。この要約情報のデータは、例えばＲＳＳと呼ばれるフォーマットでサーバから送信され、携帯電話機によって予め設定されたタイミングで受信して取得される。このＲＳＳは、ＷＥＢサーバ（ＷＥＢサイト）で提供されるＷＥＢコンテンツの見出し、要約、更新情報等のメタデータを構造化して記述するＸＭＬ（Extensible Markup Language）ベースのフォーマットである。ＲＳＳはいくつかのバージョン（RSS0.9X, RSS1.0, RSS2.0, Atom）が存在し、バージョンごとに「Rich Site Summary」、「Really Simple Syndication」、「RDF Site Summary」という正式名称で呼ばれている。このＲＳＳフォーマットで記述された文書は「ＲＳＳフィード」と呼ばれ、上記ＲＳＳフィードを受信して表示するアプリケーションは「ＲＳＳリーダ」と呼ばれている。ＷＥＢコンテンツが更新されると、携帯電話機は、その更新された旨及び更新後のＷＥＢコンテンツの要約情報をＲＳＳフィードとして取得することができる。
【０００３】
【非特許文献１】「携帯ポータルアプリ」、［ｏｎｌｉｎｅ］、QUEST-COM株式会社、［２００６年３月３日検索］、インターネット（ＵＲＬ：http://rsseye.qusco.cc/）
【発明の開示】
【発明が解決しようとする課題】
【０００４】
しかしながら、上記従来の移動体通信端末では、上記通信ネットワーク上のサーバから取得して保存されるＲＳＳフィード（要約情報）等の提供情報は、専ら上記「ＲＳＳリーダ」等の提供情報専用のアプリケーションで画面上に表示され、上記待ち受け画面表示アプリケーション等、提供情報専用のアプリケーション以外の他のアプリケーションで画面に表示させることができなかった。
【０００５】
本発明は以上の問題点に鑑みなされたものであり、その目的は、通信ネットワーク上のサーバから取得して保存した提供情報を、提供情報表示専用のアプリケーションプログラム以外のアプリケーションプログラムの実行中においても画面に表示することができる移動体通信端末を提供することである。
【課題を解決するための手段】
【０００６】
上記目的を達成するために、請求項１の発明は、表示手段の画面への画像表示を伴う複数のアプリケーションプログラムを実行可能な移動体通信端末であって、通信ネットワーク上のサーバから提供される提供情報を予め設定されたタイミングで取得する取得手段と、上記複数のアプリケーションプログラムで利用可能な記録領域に上記取得手段で取得した提供情報を記憶する記憶手段と、上記複数のアプリケーションプログラムのうち上記提供情報の表示に専ら利用される提供情報表示専用のアプリケーションプログラム以外の他のアプリケーションプログラムが実行されているとき、該他のアプリケーションプログラムで画像が表示されている画面の少なくとも一部に、上記記憶手段に記憶されている上記提供情報を読み出して表示するように制御する表示制御手段と、を備えたことを特徴とするものである。
また、請求項２の発明は、請求項１に記載の移動体通信端末において、上記提供情報は、通信ネットワーク上のサーバから提供されるＷＥＢコンテンツの要約情報であることを特徴とするものである。
また、請求項３の発明は、請求項２に記載の移動体通信端末において、上記要約情報は、予め設定した所定タイミングで定期的に上記サーバに接続して更新確認されることを特徴とするものである。
また、請求項４の発明は、請求項１に記載の移動体通信端末において、上記提供情報は、他の通信端末から送信されてきたメッセージの送信元情報及び該メッセージの冒頭部分の少なくとも一方を含む着信通知情報であることを特徴とするものである。
また、請求項５の発明は、請求項１乃至４のいずれかに記載の移動体通信端末において、上記他のアプリケーションプログラムは、上記表示手段に待ち受け画面を表示するアプリケーションプログラムであることを特徴とするものである。
また、請求項６の発明は、請求項１乃至５のいずれかに記載の移動体通信端末において、上記他のアプリケーションプログラムは、通常の文字列表示とは異なる態様で上記提供情報を出力することを特徴とするものである。
また、請求項７の発明は、請求項１乃至５のいずれかに記載の移動体通信端末において、上記表示制御手段は、上記他のアプリケーションプログラムの実行中の画面に画像を表示する表示モードとして、上記提供情報の表示態様が互いに異なる複数の表示モードを有し、これらの表示モードを表示モード選択指令に基づいて切り替えることを特徴とするものである。
また、請求項８の発明は、請求項７に記載の移動体通信端末において、複数のキーからなる操作部を備え、上記表示モード選択指令は、上記操作部の予め設定された所定キーの押下によって生成されることを特徴とするものである。
また、請求項９の発明は、請求項７又は８に記載の移動体通信端末において、上記複数の表示モードは、上記画面に設定したテキスト１行文の画面表示部分に上記提供情報を連続的に表示する１行表示モードと、上記画面の複数の画面分割領域に互いに異なる複数の提供情報を振り分けて表示する分割表示モードとを含むことを特徴とするものである。
また、請求項１０の発明は、請求項１乃至９のいずれかの移動体通信端末において、上記表示制御手段は、上記他のアプリケーションプログラムが実行されているときの画面の少なくとも一部に上記提供情報を表示し、その提供情報表示部分が選択されたとき上記提供情報表示専用のアプリケーションプログラムの画面に遷移させることを特徴とするものである。
また、請求項１１の発明は、請求項１０に記載の移動体通信端末において、上記遷移先の画面は、上記提供情報表示部分に表示されていた提供情報の項目名を含む複数の提供情報の項目名一覧画面であり、その項目名一覧画面に表示されている複数の項目名はそれぞれ対応する提供情報の詳細内容表示画面にリンクしていることを特徴とするものである。
また、請求項１２の発明は、請求項１０に記載の移動体通信端末において、上記遷移先の画面は、上記提供情報表示部分に表示されていた提供情報の詳細内容表示画面であることを特徴とするものである。
【０００７】
なお、上記請求項６における「通常の文字列表示」とは、予め設定された固定の文字列表示領域に横方向又は縦方向に表示することを意味する。上記「通常のテキスト表示とは異なる態様」での情報出力としては、例えば次の（１）〜（３）の態様の情報出力が挙げられるが、これらに限定されるものではない。
（１）言葉を発するキャラクターの画像を表示する場合に、そのキャラクターの吹き出しとして上記提供情報を表示する。
（２）上記提供情報の文字列を回転させながら表示する。
（３）上記提供情報を音声として出力する。
【発明の効果】
【０００８】
本発明によれば、通信ネットワーク上のサーバから予め設定されたタイミングで取得された提供情報は、複数のアプリケーションプログラムで利用可能な記録領域に保存される。この所定の記録領域に一旦保存された提供情報は、提供情報表示専用のアプリケーションプログラム以外のアプリケーションプログラムが実行されているときに読み出し、そのアプリケーションプログラムで画像が表示されている画面の少なくとも一部に表示することができる。このように通信ネットワーク上のサーバから取得して保存した提供情報を、提供情報表示専用のアプリケーションプログラム以外のアプリケーションプログラムの実行中においても画面に表示することができるという効果がある。
【発明を実施するための最良の形態】
【０００９】
以下、図面を参照して本発明の実施の形態について説明する。
図１は本実施形態に係る通信システム全体の概略構成の一例を示す説明図である。この通信システムは、移動体通信端末としての携帯電話機１０と、移動体通信事業者によって管理されている通信ネットワークとしての携帯電話通信網２０とを用いて構成されている。携帯電話通信網２０は、基地局２０１や図示しない交換機（回線交換機、パケット交換機）等を備え、図示しないゲートウェイサーバを介してインターネット３０等の他の通信ネットワークに接続されている。また、携帯電話通信網２０には、ＷＥＢコンテンツを提供するＷＥＢサーバ４０や、携帯電話機１０で送受信されるメールを管理するメールサーバ５０が接続されている。インターネット３０には、ＷＥＢコンテンツを提供するＷＥＢサーバ４１が接続されている。ＷＥＢサーバ４０、４１は、提供情報として、各種ＷＥＢコンテンツや、そのＷＥＢコンテンツの要約情報を提供する。これらのサーバと携帯電話機１０との間の通信には、ネットワークの各階層において所定の通信プロトコルが用いられる。例えば、ＷＥＢサーバからＷＥＢコンテンツをダウンロードするときのアプリケーション層の通信プロトコルとしては、ＨＴＴＰ（HyperText Transfer Protocol）が用いられる。
【００１０】
図２は、上記ＷＥＢサーバ４０のハードウェア構成の一例を示すブロック図である。メールサーバ５ーやインターネット３０上のＷＥＢサーバ４１も同様な構成を採用することができる。サーバ４０は、システムバス４００、ＣＰＵ４０１、内部記憶装置、外部記憶装置４０４、入力装置４０５、出力装置４０６、及びインターネット用通信装置４０７を備えている。上記内部記憶装置は、ＲＡＭ４０２やＲＯＭ４０３等で構成されている。上記外部記憶装置は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記通信装置４０７は、所定の通信プロトコルにより、携帯電話通信網２０を介して他の携帯電話機や他のサーバと通信したり、インターネット３０上の各種クライアント端末や他のサーバと通信したりするための装置である。
【００１１】
上記ＣＰＵ４０１やＲＡＭ４０２等の構成要素はお互いに、システムバス４００を介して、データやプログラムの命令等のやり取りを行っている。このサーバ４０を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１２】
ＷＥＢサーバ４０、４１やメールサーバ５０はそれぞれ一部又は全体を専用の制御装置として構成してもいいし、一部又は全体を汎用のコンピュータシステムを用いて構成してもよい。また、サーバ４０、４１、５０はそれぞれ、１台のコンピュータで構成してもいいし、複数の機能をそれぞれ受け持つ複数台のコンピュータをネットワークで結んで構成してもよい。
【００１３】
図３は、携帯電話通信網２０に設けたＷＥＢサーバ４０の主要な機能を抽出して示した機能ブロック図である。サーバ４０は、記憶手段４１０と受信手段４１１と送信手段４１２とを備えている。このＷＥＢメディアコンテンツサーバ４０は、ＣＰＵ等からなるハードウェア上で所定のプログラムを実行することにより、上記各手段の機能を実現している。上記記憶手段４１０は、上記内部記憶装置や外部記憶装置で構成され、携帯電話機１０で受信可能な各種ＷＥＢコンテンツのデータや、そのＷＥＢコンテンツの要約情報のデータを記憶している。上記受信手段４１１は、上記ＣＰＵ４０１や通信装置４０７等で構成され、上記記憶手段４１５に記憶されている複数種類のＷＥＢコンテンツやそのＷＥＢコンテンツの要約情報を要求する取得要求を、携帯電話通信網２０を介して携帯電話機１０から受信する。上記送信手段４１２は、上記ＣＰＵ４０１や通信装置４０７等で構成され、上記取得要求に基づいて選択されたＷＥＢコンテンツのデータや、そのＷＥＢコンテンツの要約情報のデータを移動体通信端末１０に送信する。
【００１４】
図４は、インターネット３０に設けたＷＥＢサーバ４１の主要な機能を抽出して示した機能ブロック図である。ＷＥＢサーバ４１は、記憶手段４１５と受信手段４１６と送信手段４１７とを備えている。このＷＥＢサーバ４１は、ＣＰＵ等からなるハードウェア上で所定のプログラムを実行することにより、上記各手段の機能を実現している。上記記憶手段４１５は、上記内部記憶装置や外部記憶装置で構成され、携帯電話機１０で受信可能な各種ＷＥＢコンテンツのデータや、そのＷＥＢコンテンツの要約情報のデータを記憶している。上記受信手段４１６は、上記ＣＰＵ４０１や通信装置４０７等で構成され、上記記憶手段４１５に記憶されている複数種類のＷＥＢコンテンツやそのＷＥＢコンテンツの要約情報を要求する取得要求を携帯電話機１０から受信する。上記送信手段４１７は、上記ＣＰＵ４０１や通信装置４０７等で構成され、上記取得要求に基づいて選択されたＷＥＢコンテンツのデータや、そのＷＥＢコンテンツの要約情報のデータを、インターネット３０を介して移動体通信端末１０に送信する。
【００１５】
上記ＷＥＢコンテンツの要約情報のデータは、例えば前述のＲＳＳと呼ばれるフォーマットで送受信することができる。ＷＥＢコンテンツが更新されると、その更新された旨及び更新後のＷＥＢコンテンツの要約情報がＲＳＳフィードとして携帯電話機１０へ送信される。ＲＳＳフィードとしては、速報ニュース、一般ニュース、音楽情報、天気予報、ＣＤや映画などの売り上げランキング等のコンテンツの要約情報や更新情報が挙げられる。また、ＲＳＳフィードとしては、サービス参加者が互いに友人を紹介しあって、新たな友人関係を広げることを目的に開設されたコミュニティサービス（ＳＮＳ：ソーシャル・ネットワーク・サービス）を利用するためのアプリケーションで表示されるブログや個人ＷＥＢページなどの要約情報も挙げられる。
【００１６】
図５は携帯電話機１０の一構成例を示す外観図であり、図６は、その携帯電話機１０のハードウェア構成の一例を示す概略構成図である。携帯電話機１０は、クラムシェル（折り畳み）タイプの携帯電話機であり、システムバス１００、ＣＰＵ１０１、ＲＡＭ１０２やＲＯＭ１０３等の記憶装置、入力装置１０４、出力装置１０５及び携帯電話通信網用通信装置１０６を備えている。ＣＰＵ１０１やＲＡＭ１０２等の構成要素は、システムバス１００を介して、互いに各種データやプログラムの命令等のやり取りを行っている。
【００１７】
上記ＣＰＵ１０１は、上記記憶装置から所定のプログラムを読み込んで実行することにより、ネイティブ側の電話機プラットフォームの基本ソフトＯＳ上で、音声通話機能や、アプリケーションによる各種機能を実現することができる。このアプリケーションによる機能としては、上記ＲＳＳフィードを専ら表示する提供表示専用のＲＳＳリーダ、待ち受け画像を表示して電話やメール着信通知の受信待機状態にする待ち受け機能、ＷＥＢブラウザ、メーラー、外部装置とのデータ送受信、アドレス帳管理、スケジューラ、メモ帳等がある。
【００１８】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションの選択、起動及び停止を行ったりすることができる。
【００１９】
また、利用者は上記操作部を操作することにより、携帯電話機１０のディスプレイに表示している、複数の表示モードのいずれかの表示モードの画面を、他の表示モードの画面に切り替えることができる。例えば、上記ＲＳＳフィードの表示をしない非表示モードの待ち受け画面を、上記ＲＳＳフィードを画面の一部に表示する表示モードの画面に切り替えることができる。
【００２０】
また、利用者は上記操作部を操作することにより、携帯電話機１０のディスプレイに表示している、複数のアプリケーションのいずれかのアプリケーションの画面を、他のアプリケーションの画面に切り替えることができる。例えば、待ち受けアプリケーションの実行によって待ち受け画面が表示されているときに、上記操作部の所定のキーを押下することにより、ＲＳＳリーダを自動起動してＲＳＳ項目リストの画面に遷移させることができる。
【００２１】
上記出力装置１０５は、表示手段である液晶ディスプレイ（ＬＣＤ）１７、音出力手段であるスピーカ１８等から構成されている。上記液晶ディスプレイ（ＬＣＤ）１７やスピーカ１８等からなる出力装置等で構成されている出力部は、携帯電話通信網２０を介して受信したＷＥＢコンテンツを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像やピクトグラムを表示したり、スピーカ１８から着信音を出力させたりする。なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００２２】
上記携帯電話通信網用通信装置１０６は、変復調器、シンセサイザ、周波数変換器，高周波増幅器などにより構成され、携帯電話通信網２０を介して他の携帯電話機や上記サーバ４０，４１，５０等と通信するときに用いられる。この携帯電話通信網用通信装置１０６は、携帯電話通信網２０を介して他の携帯電話機とメールのやり取りを行ったり、携帯電話通信網２０からゲートウェイサーバを介して、インターネット等の外部の通信ネットワークに接続し、インターネット上での電子メールのやり取り等を行ったりするための通信手段として用いられる。更に、この携帯電話通信網用通信装置１０６は、携帯電話通信網１０を介して、サーバ４０，４１が提供する各種コンテンツをダウンロードしたり、現在位置の位置情報を含む配信情報を受信したりする情報受信手段としても用いられる。
【００２３】
図７は、本実施形態に係る携帯電話機１０の主要な機能を抽出して示した機能ブロック図である。この携帯電話機１０は、通信手段１１０と表示手段１１１と記憶手段１１２と表示制御手段１１３とアプリケーション実行手段１１４を有する。
【００２４】
上記通信手段１１０は上記通信装置１０６等で構成され、ＨＴＴＰ等の所定の通信プロトコルを用いて携帯電話通信網２０を介した通信を行う。この通信手段１１０は、各種のＷＥＢコンテンツをＷＥＢサーバ４０、４１から取得する取得手段として用いられる。また、この通信手段１１０はＷＥＢサーバ４０、４１にアクセスし、そのサーバから前述のＲＳＳフィードを取得する取得手段として用いられる。
【００２５】
上記表示手段１１１は上記ディスプレイ等で構成され、実行中のアプリケーションに応じて所定の画面を表示する。
【００２６】
上記記憶手段１１２は上記ＲＡＭ１０２やＲＯＭ１０３等の記憶装置により構成され、上記ＷＥＢコンテンツやその要約情報であるＲＳＳフィードのデータを記憶する。ＲＳＳフィードのデータは、待ち受けアプリケーションやＲＳＳリーダ等の複数のアプリケーションで利用できるように所定の記憶領域に保存されている。
【００２７】
上記表示制御手段１１３は上記ＣＰＵ１０１等で構成され、提供情報表示専用のＲＳＳリーダ以外の他のアプリケーションとして例えば待ち受けアプリケーションが実行されているとき、その待ち受けアプリケーションで画像が表示されている待ち受け画面の少なくとも一部に、上記記憶手段１１２の所定の記憶領域に記憶されているＲＳＳフィードを読み出して表示するように制御する。
【００２８】
また、上記表示制御手段１１２は、上記待ち受けアプリケーションの実行中の画面に画像を表示する表示モードとして、上記ＲＳＳフィードの表示態様が互いに異なる複数の表示モードを有し、これらの表示モードを、操作部のキー操作等で生成された表示モード選択指令に基づいて切り替えるように制御してもよい。この複数の表示モードは、待ち受け画面にＲＳＳフィードを表示しない非表示モードと、待ち受け画面に設定したテキスト１行文の画面表示部分にＲＳＳフィードを連続的に表示する１行表示モード（１行ティッカーモード）と、待ち受け画面の複数の画面分割領域に互いに異なる複数のＲＳＳフィードを振り分けて表示する分割表示モード（ニュースヘッドラインモード）とを含む。以下、複数種類の表示モードを切り換えて表示できる待ち受け画面を「アクティブ待ち受け画面」という。
【００２９】
また、上記表示制御手段１１２は、ＲＳＳリーダ以外の待ち受けアプリケーション等のアプリケーションが実行されているときの画面の少なくとも一部にＲＳＳフィードを表示し、そのＲＳＳフィード表示部分が選択されたときＲＳＳリーダの画面に遷移させるように制御してもよい。この遷移先の画面としては、例えばＲＳＳフィードの項目名一覧画面やＲＳＳフィードの詳細内容表示画面がある。ＲＳＳフィードの項目名一覧画面は、上記待ち受け画面のＲＳＳフィード表示部分に表示されていたＲＳＳフィードの項目名を含む複数のＲＳＳフィードの項目名の一覧が表示された画面である。上記ＲＳＳフィードの詳細内容表示画面は、上記待ち受け画面のＲＳＳフィード表示部分に表示されていたＲＳＳフィードの詳細な内容が表示された画面である。
【００３０】
上記アプリケーション実行手段１１４は上記ＣＰＵ１０１や記憶装置等で構成され、記憶装置から所定のアプリケーションプログラムを読み込んで実行することにより、ネイティブ側の電話機プラットフォーム上で直接アプリケーションを実行したり、電話機プラットフォーム上でアプリケーションを実行するためのＪＡＶＡ（登録商標）やＢＲＥＷ（登録商標）等のアプリケーション実行環境を構築したりすることができる。このアプリケーション実行環境上では、携帯電話機１０にプリインストールされているアプリケーションや、利用者がダウンロードして登録したアプリケーション等の各種アプリケーションを実行することができる。
【００３１】
図８は、ＷＥＢサーバ４０，４１から定期的に取得して保存されたＲＳＳフィードをＲＳＳリーダで表示するときの画面遷移の一例を示す説明図である。本例では、ＲＳＳフィードを利用するメニューとして、ニュースのＷＥＢコンテンツのＲＳＳフィードを表示する「ニュースインフォリスト」を選択した場合について示す。まず、利用者が、ＲＳＳリーダのアプリケーションを起動し、ＲＳＳリーダのトップメニュー画面７０１で「ニュースインフォリスト」を選択すると、「ニュースインフォリスト」のトップ画面７０２が表示される。この「ニュースインフォリスト」のトップ画面７０２には、利用者が予め登録している、ニュースコンテンツを提供しているＲＳＳ対応のＷＥＢサイトの一覧が表示される。この「ニュースインフォリスト」のトップ画面７０２で、利用者は、ＲＳＳフィードを表示したいニュースコンテンツのＷＥＢサイトを選択することができる。例えば、図示のように「ＺＺＺモバイルニュース」というＷＥＢサイトを選択すると、その「ＺＺＺモバイルニュース」のＷＥＢサイトから取得したＲＳＳフィードに含まれるニュースの記事タイトルを一覧表示する記事タイトルリスト画面７０３が表示される。この記事タイトルリスト画面７０３に表示されている複数の記事タイトルのいずれか１つを選択すると、その選択した記事タイトルとともにニュースの概略内容を示すＲＳＳフィード表示画面７０４が表示される。
【００３２】
なお、上記図８の記事タイトルリスト画面７０３に表示されているＷＥＢサイトタイトルの部分は、そのＷＥＢサイトのトップページにリンクされている。このＷＥＢサイトタイトルの部分を選択すると、ブラウザが起動し、上記ニュースコンテンツを提供するＷＥＢサイトのトップページの画面８０１が表示される。また、上記ＲＳＳフィード表示画面７０４に表示されている記事タイトルの部分は、その記事の詳細内容を提供しているＷＥＢページにリンクされている。この記事タイトルの部分を選択すると、ブラウザが起動し、上記記事のＷＥＢページの画面８０２が表示される。
【００３３】
また、上記図８のＲＳＳフィード表示画面７０４で「前へ」や「次へ」を選択すると、図９に示すように、上記記事タイトルリスト画面７０３に一覧表示されていた他のニュース記事のＲＳＳフィード表示画面７０５、７０６を表示させることができる。
【００３４】
図１０は、ＲＳＳリーダの「ニュースインフォリスト」のトップ画面７０２にＲＳＳ対応のＷＥＢサイトを新規に登録するときの画面遷移の一例を示す説明図である。「ニュースインフォリスト」のトップ画面７０２に表示されている「おすすめニュース一覧」の部分を選択すると、ＲＳＳリーダにおいて接続中の画面７０７が表示されるとともに、予め設定されている所定のＷＥＢサイトへの接続処理が実行される。この接続処理が完了すると、ブラウザが起動し、ニュースコンテンツを提供するＲＳＳ対応のＷＥＢサイトを一覧表示する「おすすめニュース一覧」の画面８０３が表示される。この「おすすめニュース一覧」の画面８０３上で、利用者は、上記「ニュースインフォリスト」に新規登録したいＲＳＳ対応のＷＥＢサイトを選択することができる。例えば、図示のように「ＮＮＮマネー＆スポーツ」というサイト名のＷＥＢサイトを選択すると、そのＷＥＢサイトへの接続処理が実行され、新規登録のための所定の情報が取得され、登録処理が完了する（ブラウザ画面８０４及び８０５参照）。この登録処理が完了すると、ＲＳＳリーダの「ニュースインフォリスト」のトップ画面７０８に、「ＮＮＮマネー＆スポーツ」というＷＥＢサイト名が追加される。
【００３５】
図１１は、ＲＳＳ対応のＷＥＢサイトのページから「ニュースインフォリスト」に新規に登録するときの画面遷移の一例を示す説明図である。本例では、「ＺＺＺモバイルニュース」というタイトルのＲＳＳ対応のＷＥＢサイトを登録する場合について示している。利用者は、ＲＳＳリーダのＷＥＢページ表示画面７０９に、登録対象のＷＥＢサイトのＷＥＢページ（本例では「ＺＺＺモバイルニュース」のトップページ）を表示する。このＷＥＢページには、「ニュースインフォリストに追加」というテキスト表示があり、このテキスト表示部分を選択すると、登録確認画面７１０が表示される。この登録確認画面７１０で「Ｙｅｓ」を選択すると、登録画面７１１が表示される。ここで、「ニュースインフォリスト」に新規登録するときのＷＥＢサイト名を指定したいときは、タイトル入力画面７１２で希望のタイトル名を入力することができる。上記登録画面７１１で「登録」を選択すると、登録完了画面７１３が表示される。
【００３６】
上記登録完了画面７１３で「ＯＫ」を選択すると、上記登録したＷＥＢサイトが提供するニュースの種類に応じて、ＲＳＳフィードの自動更新設定画面が表示される。例えば、図１２に示すように、ニュースコンテンツが速報ニュースの場合は、自動更新設定案内画面７１４が表示された後、自動更新設定画面７１５が表示される。この自動更新設定画面７１５の例では、ＲＳＳフィードの更新確認間隔として１時間、３時間又は６時間を設定できる。自動更新設定画面７１５で希望の更新確認時間を設定した後、「変更」を選択すると、上記図１１の登録確認画面７１１に戻る。一方、図１３に示すように、ニュースコンテンツが一般ニュースの場合は、自動更新設定案内画面７１６が表示された後、自動更新設定画面７１７が表示される。この自動更新設定画面７１７の例では、自動更新確認のＯＮ／ＯＦＦのみ設定できる。この自動更新確認をＯＮにした場合のＲＳＳフィードの更新確認間隔は、予め設定された固定値（例えば６時間）になる。ここで、自動更新設定画面７１７で「ＯＮ」に設定した後、「変更」を選択すると、上記図１１の登録確認画面７１１に戻る。
【００３７】
図１４は、本実施形態の待ち受けアプリケーションで表示される複数種類のアクティブ待ち受け画面の間の画面遷移の一例を示す説明図である。このアクティブ待ち受け画面は、前述のようにＲＳＳフィードの表示態様が互いに異なる３つの表示モードを切り替えて表示することができる。具体的には、ＲＳＳフィードを表示しない通常待ち受けモード（ＲＳＳ非表示モード）の画面９０１と、アプリケーション起動モード（１行表示モード）の待ち受け画面９０２と、ニュースヘッドラインモード（ＲＳＳ分割表示モード）の待ち受け画面９０３と、を切り替えて表示することができる。この画面の切り替えは、ソフトキー「切替」を選択することにより行うことができる。なお、上記通常待ち受けモード（ＲＳＳ非表示モード）の画面９０１は表示させずに、アプリケーション起動モード（１行表示モード）の待ち受け画面９０２とニュースヘッドラインモード（ＲＳＳ分割表示モード）の待ち受け画面９０３との間で切り替えるようにしてもよい。
【００３８】
上記アプリケーション起動モード（１行表示モード）は、携帯電話機１０で実行可能な複数のアプリケーションを待ち受け画面から利用者が選択して起動できる待ち受け画面の表示モードである。このアプリケーション起動モードの待ち受け画面９０２では、複数のアプリケーションのそれぞれを起動するための複数の起動用アイコンがアプリケーション起動領域９０２Ａに表示されている。アプリケーション起動領域９０２Ａの上方の選択項目表示領域９０２Ｂには、フォーカスされている起動用アイコンに対応しているアプリケーション名が表示される。また、アプリケーション起動領域９０２Ａの下方には、テキスト１行文の画面表示部分である１行ティッカー表示領域９０２Ｃが設定されている。この１行ティッカー表示領域９０２Ｃには、予め登録しているＲＳＳ対応のＷＥＢサイトから定期的に取得して保存されているニュースコンテンツのＲＳＳフィードの記事タイトルが流れるように表示される。
【００３９】
上記ニュースヘッドラインモード（ＲＳＳ分割表示モード）は、画面を複数に分割した複数の画面分割領域のそれぞれに、予め登録しているＲＳＳ対応のＷＥＢサイトから定期的に取得して保存されているＲＳＳフィードの内容が表示される待ち受け画面の表示モードである。例えば、図１４の待ち受け画面９０３の例では、画面を３つに分割した画面分割領域９０３Ａ〜９０３Ｃが設定され、各画面分割領域９０３Ａ〜９０３Ｃに、ＲＳＳ対応のＷＥＢサイトから取得したニュースコンテンツのＲＳＳフィードの記事内容（アイテム１〜アイテム３）が表示される。
【００４０】
図１５は上記アプリケーション起動モード（１行表示モード）やニュースヘッドラインモード（ＲＳＳ分割表示モード）のアクティブ待ち受け画面からＲＳＳリーダの画面への画面遷移の一例を示す説明図である。利用者が所定の操作をすると、表示モード選択指令が生成され、ＲＳＳフィードを表示しているアプリケーション起動モードやニュースヘッドラインモードのアクティブ待ち受け画面からＲＳＳリーダの画面へ簡単に遷移することができる。例えば、アプリケーション起動モードの初期画面９０２で操作部の下キーを２回押下すると、図中の画面９０４に示すように、ニュースコンテンツのＲＳＳフィードの記事タイトルが表示されている１行ティッカー表示領域９０４Ｃにフォーカスが移動する。この画面９０４で１行ティッカー表示領域９０４Ｃを選択すると、ＲＳＳリーダが起動し、図８で示したニュースの記事タイトルを一覧表示する記事タイトルリスト画面７０３に遷移することができる。また、ニュースヘッドラインモードの初期画面９０３で操作部の上キーを押下すると、図中の画面９０５に示すように、ニュースコンテンツのＲＳＳフィードの記事内容：アイテム１が表示されている画面分割領域９０５Ａにフォーカスが移動する。この画面９０５で、記事内容：アイテム１が表示されている画面分割領域９０５Ａを選択すると、ＲＳＳリーダが起動し、図８で示したニュースの内容を示すＲＳＳフィードの詳細内容表示画面７０４に遷移することができる。なお、上記ＲＳＳリーダの各画面７０３，７０４でクリアキーを押下すると、元のアプリケーション起動モードの画面９０４やニュースヘッドラインモードの画面９０５に戻ることができる。
【００４１】
なお、上記アプリケーション起動モードやニュースヘッドラインモードのアクティブ待ち受け画面とＲＳＳリーダの画面との間の画面遷移を行うための表示モード選択指令は、上記利用者の操作部のキー操作で生成する場合のほか、アプリケーションプログラムにより所定のタイミングで自動生成するようにしてもよい。
【００４２】
図１６は、上記アプリケーション起動モード（１行表示モード）やニュースヘッドラインモード（ＲＳＳ分割表示モード）のアクティブ待ち受け画面でＲＳＳフィードの自動更新設定を行うときの画面遷移の一例を示す説明図である。例えば、アプリケーション起動モードの初期画面９０２で「メニュー」の「ＡＬＭの設定」を選択すると、ＡＬＭ（アプリケーション起動モード）の設定画面９０６が表示される。このＡＬＭの設定画面９０６で「ＡＬＭの表示設定」を選択すると、ＡＬＭの表示設定画面９０７が表示される。この画面９０７で「自動更新設定」を選択すると、ＲＳＳリーダが起動し、ＲＳＳリーダの自動更新設定画面（図１７の画面７１８）に遷移する。また、ニュースヘッドラインモードの初期画面９０３で「メニュー」の「ＮＨＭの設定」を選択すると、ＮＨＭ（ニュースヘッドラインモード）の設定画面９０８が表示される。このＮＨＭの設定画面９０８で「自動更新設定」を選択すると、ＲＳＳリーダが起動し、ＲＳＳリーダの特定のＲＳＳフィード利用メニューである「ニュースインフォリスト」の自動更新設定画面（図１７の画面７１９）が表示される。
【００４３】
図１７は、ＲＳＳリーダでＲＳＳフィードの自動更新設定を行うときの画面遷移の一例を示す説明図である。ＲＳＳリーダのトップメニュー画面７０１で「自動更新設定」を選択すると、予め設定されている複数のＲＳＳフィード利用メニューの中からＲＳＳフィードの自動更新設定を行うメニューを選択できるメニュー選択画面７１８が表示される。ここで、例えば「ニュースインフォリスト」を選択すると、ニュースの種別ごとに自動更新の設定が可能な自動更新設定画面７１９が表示される。速報ニュースの場合は設定画面７１５で自動更新間隔の時間（１時間、３時間、６時間）又は自動更新ＯＦＦを設定することでき、一般ニュースの場合は設定画面７１７で自動更新ＯＮ／ＯＦＦを設定することができる。また、メニュー選択画面７１８で「コミュニティサービス」を選択した場合は、設定画面７２０で自動更新ＯＮ／ＯＦＦを設定することができる。
【００４４】
以上、本実施形態によれば、インターネットや携帯電話通信網に設けられたＷＥＢサーバ４０，４１から予め設定された所定のタイミングで定期的に取得されたＲＳＳフィードは、複数のアプリケーションで利用可能な記録領域に保存される。この所定の記録領域に一旦保存されたＲＳＳフィードは、ＲＳＳフィード表示専用のＲＳＳリーダ以外の待ち受けアプリケーションが実行されているときに読み出し、そのアプリケーションで画像が表示されているアクティブ待ち受け画面の少なくとも一部に表示することができる。このようにＷＥＢサーバから取得して保存したＲＳＳフィードを、ＲＳＳリーダ以外のアプリケーションの実行中においても画面に表示することができる。
【００４５】
また、本実施形態によれば、メールや電話の着信の待機状態であるアクティブ待ち受け画面の表示モードとして、ＲＳＳフィードの表示態様が互いに異なる複数の表示モードを有している。そして、これらの表示モードは、利用者のキー操作によって生成した表示モード選択指令に基づいて切り替えることができる。この利用者のキー操作として、一つのキーの押下という操作を設定しておくことにより、１つのキー押下という簡易な操作によって上記複数の表示モードの画面を切り替えることができる。
【００４６】
また、本実施形態によれば、上記アクティブ待ち受け画面の複数の表示モードとして上記画面に設定したテキスト１行文の画面表示部分にＲＳＳフィードを連続的に表示する１行表示モード（１行ティッカーモード）と、上記画面の複数の画面分割領域に互いに異なる複数のＲＳＳフィードを振り分けて表示する分割表示モード（ニュースヘッドラインモード）とを有している。これらの１行表示モード（１行ティッカーモード）の画面と、分割表示モード（ニュースヘッドラインモード）とを任意に切り替えることにより、利用者の希望に応じた表示形態でＲＳＳフィードを表示することができる。
【００４７】
また、本実施形態によれば、上記アクティブ待ち受け画面に表示されているＲＳＳフィードを専用のＲＳＳリーダで簡単に確認することもできる。例えば、上記１行表示モード（１行ティッカーモード）のアクティブ待ち受け画面の１行ティッカー表示領域に表示されているニュースコンテンツのＲＳＳフィードの記事タイトルのより詳細な内容を知りたいときは、所定のキーを押下するキー操作を行う。この操作により、ＲＳＳリーダを起動させ、ニュースの記事タイトルを一覧表示する記事タイトルリスト画面を表示することができる。また、上記ニュースヘッドラインモード（ＲＳＳ分割表示モード）のアクティブ待ち受け画面の画面分割領域に表示されているニュースコンテンツのＲＳＳフィードの記事内容をより詳しく知りたいときは、所定のキーを押下するキー操作を行う。この操作により、ＲＳＳリーダを起動させ、ニュースの内容を示すＲＳＳフィードの詳細内容表示画面を表示させることができる。
【００４８】
以上、本発明の好ましい実施形態を説明したが、本発明の範囲又は精神から逸脱することなく、特許請求の範囲に記載された技術的事項の範囲内において、開示した実施形態に種々の変更を加えることができる。
【００４９】
例えば、上記実施形態では、複数のアプリケーションで利用する提供情報がＲＳＳフィードである場合について説明したが、上記提供情報は、他の携帯電話機やパーソナルコンピュータ等の通信端末から送信されてきた電子メールやＳＭＳ等メッセージの着信通知情報であってもよい。この着信通知情報としては、メッセージの送信元情報、メッセージの冒頭部分、又はそれらの両方を含むものが挙げられる。は、例えば上記アプリケーション起動モード（１行表示モード）のアクティブ待ち受け画面における１行ティッカー表示領域や、上記ニュースヘッドラインモード（ＲＳＳ分割表示モード）のアクティブ待ち受け画面における画面分割領域に表示することができる。
【００５０】
また、上記ＲＳＳリーダ以外のアプリケーションは、通常の文字列表示とは異なる態様で上記ＲＳＳフィードを出力するアプリケーションであってもよい。例えば、人物、動物、アニメの主人公などのキャラクターを画面に表示するアプリケーションの場合は、そのキャラクターの吹き出しとして上記ＲＳＳフィードの内容を表示するようにしてもよい。上記キャラクターを表示するアプリケーションとしては、例えばＦｌａｓｈ（登録商標）やＪＡＶＡ（登録商標）等で作成したアプリケーションがある。
【００５１】
図１８は、上記ＲＳＳフィードをキャラクターの吹き出しとして表示した画面の説明図である。この例のアプリケーションは、利用者と会話するようなキャラクター６０２が表示される待ち受け画面６０１を表示するアプリケーションである。このキャラクター６０２の吹き出し６０３に、上記定期的に取得されて保存されているＲＳＳフィードの内容が読み出されて表示される。例えば、前述のニュースコンテンツのＲＳＳフィードの記事タイトルや記事内容が表示される。このキャラクターを表示する待ち受け画面についても、利用者の簡単なキー操作により、上記１行表示モード（１行ティッカーモード）のアクティブ待ち受け画面や、上記ニュースヘッドラインモード（ＲＳＳ分割表示モード）のアクティブ待ち受け画面に遷移できるようにしてもよい。また、ＲＳＳフィードが表示されている吹き出し部分をキー操作で選択することにより、そのＲＳＳフィードの詳しい内容があかるＲＳＳリーダの画面に遷移できるようにしてもよい。
【００５２】
このようにキャラクターの吹き出しを用いることにより、ＲＳＳフィードの趣向をこらした表示が可能になる。なお、吹き出しにＲＳＳフィードの内容を表示するタイミングは、画面中のキャラクターの動きに合わせて表示するように設定してもよい。この場合は、画面中のキャラクターがＲＳＳフィードの内容を本当にしゃべっているように見せることができ、より趣向をこらしたものとなる。
【００５３】
また、上記通常の文字列表示とは異なる態様で上記ＲＳＳフィードを出力するアプリケーションとしては、ＲＳＳフィードの文字列を回転させながら表示するアプリケーションや、ＲＳＳフィードの内容を音声で出力するアプリケーション等も挙げられる。
【００５４】
また、本発明は、携帯電話機に限定することなく、複数のアプリケーションを実行可能な様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【００５５】
また、上記移動体通信端末やサーバにおける処理・制御は、それらに設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【図面の簡単な説明】
【００５６】
【図１】本発明の実施形態に係る通信システムの概略構成図。
【図２】サーバのハードウェア構成のブロック図。
【図３】サーバの機能ブロック図。
【図４】サーバの他の構成例を示す機能ブロック図。
【図５】携帯電話機の外観図。
【図６】携帯電話機のハードウェア構成のブロック図。
【図７】携帯電話機の機能ブロック図。
【図８】ＷＥＢサーバから定期的に取得して保存されたＲＳＳフィードをＲＳＳリーダで表示するときの画面遷移を示す説明図。
【図９】ＲＳＳリーダの画面遷移を示す説明図。
【図１０】ＲＳＳリーダの「ニュースインフォリスト」のトップ画面にＲＳＳ対応のＷＥＢサイトを新規に登録するときの画面遷移を示す説明図。
【図１１】ＲＳＳ対応のＷＥＢサイトのページから「ニュースインフォリスト」に新規に登録するときの画面遷移を示す説明図。
【図１２】速報ニュースのＲＳＳフィードの自動更新設定時における画面遷移を示す説明図。
【図１３】一般ニュースのＲＳＳフィードの自動更新設定時における画面遷移を示す説明図。
【図１４】待ち受けアプリケーションで表示される複数種類のアクティブ待ち受け画面の間の画面遷移を示す説明図。
【図１５】アクティブ待ち受け画面からＲＳＳリーダの画面への画面遷移を示す説明図。
【図１６】アクティブ待ち受け画面でＲＳＳフィードの自動更新設定を行うときの画面遷移を示す説明図。
【図１７】ＲＳＳリーダでＲＳＳフィードの自動更新設定を行うときの画面遷移を示す説明図。
【図１８】キャラクターの吹き出しとしてＲＳＳフィードを表示する画面の説明図。
【符号の説明】
【００５７】
１０    携帯電話機
２０    携帯電話通信網
３０    インターネット
４０，４１    ＷＥＢサーバ
１１０    通信手段（取得手段）
１１１    表示手段
１１２    記憶手段
１１３    表示制御手段
１１４    アプリケーション実行手段
【図１】
2007299272.tif 000003
【図２】
2007299272.tif 000004
【図３】
2007299272.tif 000005
【図４】
2007299272.tif 000006
【図５】
2007299272.tif 000007
【図６】
2007299272.tif 000008
【図７】
2007299272.tif 000009
【図８】
2007299272.tif 000010
【図９】
2007299272.tif 000011
【図１０】
2007299272.tif 000012
【図１１】
2007299272.tif 000013
【図１２】
2007299272.tif 000014
【図１３】
2007299272.tif 000015
【図１４】
2007299272.tif 000016
【図１５】
2007299272.tif 000017
【図１６】
2007299272.tif 000018
【図１７】
2007299272.tif 000019
【図１８】
2007299272.tif 000020